(57)【要約】      （修正有）【課題】構造が簡単で、取付け取外し作業が容易であり、経済性に優れたサッシ窓の網本体取付け装置を提供する。【解決手段】網戸７が網本体と、上側及び下側アタッチメント８Ｂと、右側及び左側アタッチメント９Ａ、９Ｂとで構成され、上側及び下側アタッチメント８Ｂを上枠および下枠に形成された上側取付け溝と下側取付け溝とにスライドさせて着脱自在に嵌合させ、右側及び左側アタッチメント９Ａ、９Ｂを左右縦枠５Ｃに形成された右側取付け溝及び左側取付け溝とにそれぞれ回転して着脱自在に嵌合させた。【選択図】図８
2018080446.tif 000002
【特許請求の範囲】
【請求項１】
躯体４に取付けた窓枠１と、上記窓枠１にそれぞれ取付けた屋外側框材３及び屋内側枠体５と、上記屋外框材３に取付けた障子６と、上記屋内側枠体５に着脱自在に取付けた網戸７とを備え、
上記網戸７が網本体１０と、上記網本体１０の上縁１０Ａと下縁１０Ｂとにそれぞれ取付けた上側及び下側アタッチメント８Ａ、８Ｂと、上記網本体１０の右縁１０Ｄと左縁１０Ｃとにそれぞれ取付けた右側及び左側アタッチメント９Ａ、９Ｂとで構成され、
上記屋内側枠体５が上下一対の上枠５Ａ及び下枠５Ｂと、左右一対の左縦枠５Ｄ及び右縦枠５Ｃと、上記上枠５Ａの下部内周と下枠５Ｂの上部内周にそれぞれ相対向して形成した上下一対の上側取付け溝５Ｅ及び下側取付け溝５Ｆと、上記右縦枠５Ｃの左部内周と上記左縦枠５Ｄの右部内周にそれぞれ相対向して形成した左右一対の右側取付け溝５Ｇ及び左側取付け溝５Ｇとで構成され、
上記上側及び下側アタッチメント８Ａ、８Ｂを上記上側取付け溝５Ｅと下側取付け溝５Ｆとにそれぞれスライドさせて着脱自在に嵌合させ、上記右側及び左側アタッチメント９Ａ、９Ｂを上記右側取付け溝５Ｇ及び左側取付け溝５Ｇとにそれぞれ回転して着脱自在に嵌合させているサッシ窓の網戸取付け装置。
【請求項２】
上記上側アタッチメント８Ａと上記下側アタッチメント８Ｂはそれぞれ上記網本体１０の中心線を挟んで両側に左右一対設けられている請求項１に記載のサッシ窓の網戸取付け装置。
【請求項３】
上記上側及び下側アタッチメント８Ａ、８Ｂがそれぞれ屋外側に開口する溝１３を形成した長尺フレーム１１と、上記長尺フレーム１１の屋内側外側面から水平に張り出した係止片１２と、上記溝１３に嵌合して当該溝１３内に挿入した上記網本体１０の上縁１０Ａと下縁１０Ｂとをそれぞれ挟み込むストッパ１４とで構成し、
上記上側取付け溝５Ｅの下面と上記下側取付け溝５Ｆの上面に上記係止片１２に対向するフック１５をそれぞれ起立させ、上記上側及び下側アタッチメント８Ａ、８Ｂを上記上側取付け溝５Ｅと上記下側取付け溝５Ｆに嵌合すると共に上記各係止片１２を上記フック１５にそれぞれ係合させている請求項１に記載のサッシ窓の網戸取付け装置。
【請求項４】
上記ストッパ１４がフランジ１４ａと、このフランジ１４ａから水平に伸びて上記溝１３に嵌合する弾性な脚１４ｂとで構成され、上記脚１４ｂの外周と上記溝１３の内周とで上記網本体１０の上縁１０Ａと下縁１０Ｂとを挟み込んでいる請求項２又は３のいずれか１項に記載のサッシ窓の網戸取付け装置。
【請求項５】
上記上側取付け溝５Ｅと上記下側取付け溝５Ｆの開口部にそれぞれ化粧用カバー１６を嵌合させ、当該カバー１６でそれぞれ上記各ストッパ８Ａ、８Ｂを覆い被せている請求項２、３又は３のいずれか１項に記載のサッシ窓の網戸取付け装置。
【請求項６】
上記右側及び左側アタッチメント９Ａ、９Ｂがそれぞれ屋外側に開口する溝１７を形成した長尺フレーム１８と、上記長尺フレーム１８の端部から屋外側に延びる係止片２０と、上記溝１７に嵌合して当該溝１７内に挿入した上記網本体１０の右縁１０Ｄと左縁１０Ｃとをそれぞれ挟み込むストッパ１４とで構成し、
上記右側及び左側取付け溝５Ｇの内周に上記係止片２０に対向する引っ掛け片２２をそれぞれ起立させ、上記右側及び左側アタッチメント９Ａ、９Ｂを上記右側取付け溝５Ｇと上記左側取付け溝５Ｇとに嵌合すると共に上記各係止片２０を上記引っ掛け片２２にそれぞれ係合させている請求項１に記載のサッシ窓の網戸取付け装置。
【請求項７】
上記右側及び左側取付け溝５Ｇが奥側の湾曲した内周面２３と上記
奥側内周面２３に連なる水平な内周面２４とを備え、上記長尺フレーム１８が上記奥側内周面２３に対応する湾曲した外周面２５を形成して断面扇状に形成されている請求項５又は６のいずれか１項に記載のサッシ窓の網戸取付け装置。
【請求項８】
上記ストッパ２１がフランジ２１ａと、このフランジ２１ａから水平に伸びて上記溝１７に嵌合する弾性な脚２１ｂとで構成され、上記脚２１ｂの外周と上記溝１７の内周とで上記網本体１０の右縁９Ａと左縁９Ｂをそれぞれ挟み込んでいる請求項５、６又は７のいずれか１項に記載のサッシ窓の網戸取付け装置。
【発明の詳細な説明】
【技術分野】
【０００１】
本発明は、一般住宅、マンション、ビルディング等の建築物のサッシ窓に取付けられ網戸の取付け装置に関する。
【背景技術】
【０００２】
一戸住宅、マンション等の建築物のサッシ窓は窓枠に屋外側の障子と屋内側の防虫用網戸を配置したものが多く採用されている。
【０００３】
この種のサッシ窓としては、例えば特許文献１、特許文献２に開示されたものが開発されている。
【０００４】
特許文献１のサッシ窓は、躯体に取付けた窓枠と、窓枠にそれぞれ取付けた屋外側框材及び屋内側枠体と、屋外框材に取付けた障子と、上記屋内側枠体に着脱自在に取付けた網戸とを備えている。
【０００５】
また、網戸が網本体と、網本体の右縁と左縁とにそれぞれ取付けた右側及び左側アタッチメントとで構成され、これらの左右のアタッチメントを介して網戸が屋内側枠体の係止溝に差し込んで取り付けられているものである。
【０００６】
しかしながら、上記特許文献１のサッシ窓の網戸取付け構造は網本体の左右両側が左右のアタッチメントを介して屋内側枠体に取付けられているだけであるから、網本体の上下部の保持が不安定であり、網本体が屈曲し、或いは、皺が発生し、サッシ窓の美観を損ねる恐れがある。
【０００７】
他方、特許文献２に示す網本体の取付け装置では、上記特許文献１の網他の取付け装置と同じように、網本体の右縁と左縁とにそれぞれ取付けた右側及び左側アタッチメントを設け、これらの左右のアタッチメントを介して網戸が屋内側枠体の係止溝に差し込んで嵌合させると共に網本体の上下端部を別の押え部材を介して屋内側枠体の上下の凹溝内に押し込んでいるものである。
【０００８】
この為、特許文献２に開示された網戸の取付け装置によれば、網本体の上下端が押え部材で押え込まれているので、網本体の上下端がしっかりと保持され、網本体の歪みや皺の発生が防止される。
【先行技術文献】
【特許文献】
【０００９】
【特許文献１】特開２００７−１７７５６６号公報（図２、図３参照）
【特許文献２】特開２００９−７９４１４号公報（要約、図３〜図６参照）
【発明の概要】
【発明が解決しようとする課題】
【００１０】
しかしながら、上記特許文献１、２に開示されている網本体の取付け装置は機能上特に欠陥が有るわけではないが次のような不具合の改善がのぞまれている。
【００１１】
即ち、左右のアタッチメントは係止溝に差し込んで嵌合させているだけであるから網本体に十分な張力が付与されず長期間の使用中に網本体が歪む恐れがあり、或いは、屋外側又は屋内側から網本体に応力が作用するとアタッチメントが弛む恐れがある。
【００１２】
更に、上記特許文献２に開示されている網本体上下の押え部材は網本体と一体に結合されておらず、別々の部材であるから網本体と一緒になって凹溝に取付けできず、網本体と押え部材との取付け作業を別々に行う必要があり、網本体の取り付け作業が面倒である。
【００１３】
また、この押え部材は複数の部材から構成されているので構造が複雑で、加工性、取付性、経済性において不利である。
【００１４】
そこで、本発明の目的は、網本体の上下、左右を網本体と一体化された上下、左右のアタッチメントを介して網本体をワンタッチで且つ十分な張力を付与しながら屋内側枠体に取付けでき、且つ構造が簡単で、取付け取外し作業が容易であり、加工性、取付性、経済性に優れたサッシ窓の網本体取付け装置を提供することである。
【課題を解決するための手段】
【００１５】
上記の目的を達成する為、本発明の手段は、躯体に取付けた窓枠と、上記窓枠にそれぞれ取付けた屋外側框材及び屋内側枠体と、上記屋外框材に取付けた障子と、上記屋内側枠体に着脱自在に取付けた網戸とを備え、上記網戸が網本体と、上記網本体の上縁と下縁とにそれぞれ取付けた上側及び下側アタッチメントと、上記網本体の右縁と左縁とにそれぞれ取付けた右側及び左側アタッチメントとで構成され、上記屋内側枠体が上下一対の上枠及び下枠と、左右一対の左縦枠及び右縦枠と、上記上枠の下部内周と下枠の上部内周にそれぞれ相対向して形成した上下一対の上側取付け溝及び下側取付け溝と、上記右縦枠の左部内周と上記左縦枠の右部内周にそれぞれ相対向して形成した左右一対の右側取付け溝及び左側取付け溝とで構成され、上記上側及び下側アタッチメントを上記上側取付け溝と下側取付け溝とにそれぞれスライドさせて着脱自在に嵌合させ、上記右側及び左側アタッチメントを上記右側取付け溝及び左側取付け溝とにそれぞれ回転して着脱自在に嵌合させていることを特徴とするものである。
【発明の効果】
【００１６】
本発明の網戸の取付け装置によれば次の効果を達成できる。
１）網本体の上下、左右を網本体と一体化された上下、左右のアタッチメントを介して網本体を屋内側枠体に取付けているので、網本体の上下左右がしっかりと保持され、網本体が長期間使用されても屈曲せず、皺も発生せず、その結果サッシ窓の美観を損ねる恐れが無い。
２）網本体の周囲が上記のようにしっかりと保持されているから屋外側又は屋内側から振動等の外部応力が作用しても網本体が外れるのを防止できる。
３）網本体の上下、左右の端部がアタッチメント介してスライド又は回転しながら上下、左右の取付け溝にそれぞれ嵌合しているので、網本体が緊張して歪みの発生が防止され、網本体の美観を向上できる。
４）網本体の上縁、下縁、左縁、右縁の各端部にはアタチメントが一体結合され、これらのアタチメントを介して屋内側枠体に取付けているので、網本体の取付け、取外し作業がワンタッチで行え、取付け、取外し作業が向上し、作業費用の節約を図れる。
５）同じく、上下、左右のアタッチメントが網本体と一体化されているので、網本体の保持に網本体と別の押え部材が不要であり、構造の簡素化、加工性、経済性の向上が図れ、また余分な押え部材の取付け、取外し作業も不要で作業性が向上する。
【図面の簡単な説明】
【００１７】
【図１】本発明のサッシ窓の縦断側面図である。
【図２】本発明のサッシ窓の縦断平面図である。
【図３】本発明の網本体の斜視図である。
【図４】図１の上枠部の拡大断面図である。
【図５】図１の下枠部の拡大断面図である。
【図６】図１の右建枠部の拡大断面図である。
【図７】図６の一部拡大断面図である。
【図８】網本体の取付け初期におけるサッシ窓の一部切欠き斜視図である。
【図９】左右のアタッチメントを介して網本体を左右の縦枠に取付けた状態のサッシ窓の斜視図である。
【図１０】左右上下のアタッチメントを介して網本体を左右の縦枠に取付け、化粧カバーを覆い被せた状態のサッシ窓の斜視図である。
【発明を実施するための形態】
【００１８】
以下、図示した本発明の実施の形態を図面に基づいて説明する。
【００１９】
本発明は、一般住宅、マンション、ビルディング等の建築物の開口部に設けたサッシ窓に取付けられた網戸の取付け装置に関するものである。
【００２０】
即ち、本発明のサッシ窓は、図１、図２に示すように、建築物の屋外側壁４ａ、屋内側壁４ｂ、取付け縁２等を備えた躯体４の開口部Ａに取付けた窓枠１と、窓枠１にそれぞれ取付けた屋外側框材３及び屋内側枠体５と、屋外框材３に取付けた障子６と、屋内側枠体５に着脱自在に取付けた網戸７とを備えている。
【００２１】
屋外側框材３は上下の框と左右の縦框とから方形に形成され、この框材３の内側にペアガラスが保持されて障子６を構成している。
【００２２】
窓枠１は躯体４の開口部Ａに嵌合すると共にボルト、ビス等の取付部材を介して躯体４に取付けられている。
【００２３】
窓枠１には図１〜図６に示すようにボルトＢ１〜Ｂ７や引っ掛け片を介して屋外側の框材３と屋内側枠体５とが取り付けられ、また屋内側枠体５はビス等を介して取付け縁２にも結合されている。
【００２４】
屋内側枠体５は上枠５Ａと下枠５Ｂと右側縦枠５Ｃと左建枠５Ｄとで方形に形成され、この屋内側枠体５に本発明の網戸７が着脱自在に取付けられている。
【００２５】
網戸７は図３に示すように、網本体１０と、網本体１０の上縁１０Ａと下縁１０Ｂとにそれぞれ取付けた上側及び下側アタッチメント８Ａ、８Ｂと、網本体１０の右縁１０Ｄと左縁１０Ｃとにそれぞれ取付けた右側及び左側アタッチメント９Ａ、９Ｂとで構成されている。
【００２６】
さらに、図１、図４、図５に示すように、上枠５Ａの下部内周と下枠５Ｂの上部内周にそれぞれ相対向して形成してそれぞれ開口部Ａの中央に向けて開口する上下一対の上側取付け溝５Ｅ及び下側取付け溝５Ｆが形成されている。
【００２７】
同じく、右縦枠５Ｃの左部内周と上記左縦枠５Ｄの右部内周にそれぞれ相対向して形成して開口部Ａの中央に向けて開口する左右一対の右側取付け溝５Ｇ及び左側取付け溝５Ｇとが形成されている。
【００２８】
上側取付け溝５Ｅは図４に示すように、溝の入り口に一対の引っ掛け片ａ、ｂが形成され、上奥側の内周にフック１５を下方に向けて起立している。
【００２９】
同じく、下側取付け溝５Ｆは図５に示すように、溝の入り口に一対の引っ掛け片ｃ、ｄが形成され、下奥側の内周にフック１５を上方に向けて起立している。
【００３０】
上側及び下側アタッチメント８Ａ、８Ｂは図３〜図５に示すように、それぞれ屋外側、即ち、図４、図５において左側に開口する溝１３を形成した長尺フレーム１１と、長尺フレーム１１の屋内側外側面から水平に張り出した係止片１２と、溝１３に嵌合して当該溝１３内に挿入した網本体１０の上縁１０Ａと下縁１０Ｂとをそれぞれ挟み込むストッパ１４とで構成している。
【００３１】
また、上記ストッパ１４は、フランジ１４ａと、このフランジ１４ａから水平に伸びて上記溝１３に嵌合する弾性な二股の脚１４ｂとで構成され、脚１４ｂの外周と上記溝１３の内周とで上記網本体１０の上縁１０Ａと下縁１０Ｂとを挟み込んでいる。
【００３２】
この為、上側及び下側アタッチメント８Ａ、８Ｂは網本体１０と一体化され、アタッチメント８Ａ、８Ｂと一緒に網本体１０の上下端部がスライドしながら上下の取付け溝５Ｅ、５Ｆに嵌合し、或いは外される。
【００３３】
この場合、上側及び下側アタッチメント８Ａ、８Ｂを上側取付け溝５Ｅと上記下側取付け溝５Ｆに嵌合すると共に各係止片１２をフック１５にそれぞれ係合させ、併せて、フランジ１４ａを引っ掛け片ｃに係合させてアタッチメント８Ａ、８Ｂの脱落を防止している。
【００３４】
上記アタチメント８Ａ，８Ｂは一つでも良いが、図３に示すように、網本体１０の中心線を挟んで両側に左右一対設けられているのが好ましい。
【００３５】
この場合は、網本体１０はその中心線を中心して折り曲げでき、網本体１０を折り曲げながら左右のアタッチメント９Ｂ、９Ａを左右の取付け溝５Ｇ、５Ｇに嵌合操作できる。
【００３６】
例えば、先に左側のアタチメント９Ｂを左側の取付け溝５Ｇに嵌合しておき、次いで、網本体１０を折り曲げながら右側のアタッチメント９Ａを右側の取付け溝５Ｇに嵌合でき、これにより障子６が屋外側に存在していてもこの障子６に干渉することなく網本体１０を取付けできる。
【００３７】
更に、」上側取付け溝５Ｅと上記下側取付け溝５Ｆの開口部にそれぞれ化粧用カバー１５を嵌合させ、当該カバー１６でそれぞれ各ストッパ８Ａ、８Ｂを覆い被せている。
【００３８】
この為、アタッチメント８Ａ、８Ｂが露出せず、アタッチメント８Ａ、８Ｂを保護すると同時にサッシ窓の美観を向上させている。
【００３９】
化粧カバー１６はカバー本体と、カバー本体の両端に設けた係止片１６ａ、１６ｂを有し、これらの係止片１６ａ、１６ｂが引っ掛け片ｄと長尺フレーム１１の端部とに係合して脱落が防止されている。
【００４０】
次に、上記右側及び左側アタッチメント９Ａ、９Ｂはそれぞれ屋外側、即ち、図６において上方側に開口する溝１７を形成した長尺フレーム１８と、長尺フレーム１８の端部から屋外側に延びる係止片２０と、溝１７に嵌合して当該溝１７内に挿入した網本体１０の右縁１０Ｄと左縁１０Ｃとをそれぞれ挟み込むストッパ１４とで構成されている。
【００４１】
図６、図７に示すように、上記右側及び左側取付け溝５Ｇは入り口に引っ掛け片ｅを形成し、さらに、奥側の湾曲した内周面２３とこの奥側内周面２３に連なる水平な内周面２４とを備え、この内周面２４に上記係止片２０に対向する引っ掛け片２２をそれぞれ下向きに起立させている。
【００４２】
そして、右側及び左側アタッチメント９Ａ、９Ｂの下部に操作摘み部材Ｐを備え、この操作摘み部材Ｐを介して図６、図７に示すように、右側取付け溝５Ｇと左側取付け溝５Ｇとに回転しながら嵌合すると共に各係止片２０を引っ掛け片２２にそれぞれ係合させている。
【００４３】
長尺フレーム１８は奥側内周面２３に対応する湾曲した外周面２５を形成して断面扇状に形成されている。
【００４４】
ストッパ２１はフランジ２１ａと、このフランジ２１ａから水平に伸びて溝１７に嵌合する弾性な二股状の脚２１ｂとで構成され、脚２１ｂの外周と溝１７の内周とで網本体１０の右縁９Ａと左縁９Ｂをそれぞれ挟み込んでいる。
【００４５】
上記上下のアタッチメント８Ａ、８Ｂ、左右のアタッチメント９Ａ，９Ｂは各取付け溝５Ｅ、５Ｆ、５Ｇに単純に押し込んで嵌合させることも可能であるが、スライド又は回転させながら嵌合させることにより、網本体１０に張力を付与してその歪みの発生を防止できる。
【００４６】
次に、網本体１０の取付け工程を図８〜図１０に基づいて説明する。
【００４７】
図８に示すように、先ず左側のアタッチメント９Ｂを左側建枠５Ｄの左側取付け溝５Ｇに嵌合しておく。
【００４８】
この状態から網本体１０をその中心線を中心して折り曲げる。
【００４９】
次いで、図９に示すように、上下のアタッチメント８Ａ、８Ｂをそれぞれ回転させながら上下の取付け溝５Ｅ、５Ｆに嵌合させる。
【００５０】
次に、図１０に示すように、摘み部材Ｐを介して右側アタッチメント９Ａを回転しながら右側取付け溝５Ｇに嵌合させる。
【００５１】
上下のアタッチメント８Ａ、８Ｂ、左右のアタチメント９Ａ、９Ｂの嵌合作業が終了した時化粧用カバー１６を嵌合して上下のアタッチメント８Ａ、８Ｂを覆い被せる。
【００５２】
網本体１０を外す場合は、上記の操作を逆にして行うものである。
【００５３】
本発明の網戸取付け装置では、上下、左右のアタッチメント８Ａ、８Ｂ、９Ａ、９Ｂを介して網本体１０を屋内側枠体５に取付けているので、網本体１０の上下左右がしっかりと保持され、網本体１０が長期間使用されても屈曲せず、皺も発生せず、また、屋外側又は屋内側から振動等の外部応力が作用しても網本体１０が外れるのを防止できる。
【００５４】
網本体１０の上下、左右の端部がアタッチメント８Ａ、８Ｂ、９Ａ、９Ｂ介してスライド又は回転しながら上下、左右の取付け溝５Ｅ、５Ｆ、５Ｇにそれぞれ嵌合しているので、網本体１０が緊張して歪みの発生が防止され、網本体の美観を向上できる。
【００５５】
網本体１０の上縁、下縁、左縁、右縁の各端部にはアタチメント８Ａ、８Ｂ、９Ａ、９Ｂが一体結合され、これらのアタチメント８Ａ、８Ｂ、９Ａ、９Ｂ）介して屋内側枠体５に取付けているので、網本体１０の取付け、取外し作業がワンタッチで行え、取付け、取外し作業が向上し、作業費用の節約を図れる。
【００５６】
上下、左右のアタッチメント８Ａ、８Ｂ、９Ａ、９Ｂが網本体１０と一体化されているので、網本体１０の保持に網本体１０と別の押え部材が不要であり、構造の簡素化、加工性、経済性の向上が図れ、また余分な押え部材の取付け、取外し作業も不要で作業性が向上する。
【符号の説明】
【００５７】
１  窓枠
３  屋外側框材
４  躯体
５  屋内側枠体
５Ａ  上枠
５Ｂ  下枠
５Ｅ  上側取付け溝
５Ｆ  下側取付け溝
５Ｇ  左側、右側取付け溝
６  障子
８Ａ、８Ｂ、９Ａ、９Ｂ  アタッチメント
１０  網本体
１１  長尺フレーム
１２  係止片
１３  溝
１４  ストッパ
１５  フック
１６  化粧用カバー
１７  溝
１８  長尺フレーム
２０  係止片
２２  引っ掛け片
２３、２４  内周面
２５  外周面
【図１】
2018080446.tif 000003
【図２】
2018080446.tif 000004
【図３】
2018080446.tif 000005
【図４】
2018080446.tif 000006
【図５】
2018080446.tif 000007
【図６】
2018080446.tif 000008
【図７】
2018080446.tif 000009
【図８】
2018080446.tif 000010
【図９】
2018080446.tif 000011
【図１０】
2018080446.tif 000012
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
躯体（４）に取付けた窓枠（１）と、上記窓枠（１）にそれぞれ取付けた屋外側框材（３）及び屋内側枠体（５）と、上記屋外框材（３）に取付けた障子（６）と、上記屋内側枠体（５）に着脱自在に取付けた網戸（７）とを備え、
上記網戸（７）が網本体（１０）と、上記網本体（１０）の上縁（１０Ａ）と下縁（１０Ｂ）とにそれぞれ取付けた上側及び下側アタッチメント（８Ａ）、（８Ｂ）と、上記網本体（１０）の右縁１０Ｄと左縁１０Ｃとにそれぞれ取付けた右側及び左側アタッチメント（９Ａ）、（９Ｂ）とで構成され、
上記屋内側枠体（５）が上下一対の上枠（５Ａ）及び下枠（５Ｂ）と、左右一対の左縦枠（５Ｄ）及び右縦枠（５Ｃ）と、上記上枠（５Ａ）の下部内周と下枠（５Ｂ）の上部内周にそれぞれ相対向して形成した上下一対の上側取付け溝（５Ｅ）及び下側取付け溝（５Ｆ）と、上記右縦枠（５Ｃ）の左部内周と上記左縦枠（５Ｄ）の右部内周にそれぞれ相対向して形成した左右一対の右側取付け溝（５Ｇ）及び左側取付け溝（５Ｇ）とで構成され、
上記上側及び下側アタッチメント（８Ａ）、（８Ｂ）を上記上側取付け溝（５Ｅ）と下側取付け溝（５Ｆ）とにそれぞれスライドさせて着脱自在に嵌合させ、上記右側及び左側アタッチメント（９Ａ）、（９Ｂ）を上記右側取付け溝（５Ｇ）及び左側取付け溝（５Ｇ）とにそれぞれ回転して着脱自在に嵌合させているサッシ窓の網戸取付け装置において、
上記上側及び下側アタッチメント（８Ａ）、（８Ｂ）がそれぞれ屋外側に開口する溝（１３）を形成した長尺フレーム（１１）と、上記長尺フレーム（１１）の屋内側外側面から水平に張り出した係止片（１２）と、上記溝（１３）に嵌合して当該溝（１３）内に挿入した上記網本体（１０）の上縁（１０Ａ）と下縁（１０Ｂ）とをそれぞれ挟み込むストッパ（１４）とで構成し、
上記上側取付け溝（５Ｅ）の下面と上記下側取付け溝（５Ｆ）の上面に上記係止片（１２）に対向するフック（１５）をそれぞれ起立させ、上記上側及び下側アタッチメント（８Ａ）、（８Ｂ）を上記上側取付け溝（５Ｅ）と上記下側取付け溝（５Ｆ）に嵌合すると共に上記各係止片（１２）を上記フック（１５）にそれぞれ係合させているサッシ窓の網戸取付け装置。
【請求項２】
上記上側アタッチメント（８Ａ）と上記下側アタッチメント（８Ｂ）はそれぞれ上記網本体（１０）の中心線を挟んで両側に左右一対設けられている請求項１に記載のサッシ窓の網戸取付け装置。
【請求項３】
上記ストッパ（１４）がフランジ（１４ａ）と、上記フランジ（１４ａ）から水平に伸びて上記溝（１３）に嵌合する弾性な脚（１４ｂ）とで構成され、上記脚（１４ｂ）の外周と上記溝（１３）の内周とで上記網本体（１０）の上縁（１０Ａ）と下縁（１０Ｂ）とを挟み込んでいる請求項１又は２のいずれか１項に記載のサッシ窓の網戸取付け装置。
【請求項４】
上記上側取付け溝（５Ｅ）と上記下側取付け溝（５Ｆ）の開口部にそれぞれ化粧用カバー（１６）を嵌合させ、当該カバー（１６）でそれぞれ上記各アタッチメント（８Ａ）、（８Ｂ）を覆い被せている請求項１、２又は３のいずれか１項に記載のサッシ窓の網戸取付け装置。
【請求項５】
躯体（４）に取付けた窓枠（１）と、上記窓枠（１）にそれぞれ取付けた屋外側框材（３）及び屋内側枠体（５）と、上記屋外框材（３）に取付けた障子（６）と、上記屋内側枠体（５）に着脱自在に取付けた網戸（７）とを備え、
上記網戸（７）が網本体（１０）と、上記網本体（１０）の上縁（１０Ａ）と下縁（１０Ｂ）とにそれぞれ取付けた上側及び下側アタッチメント（８Ａ）、（８Ｂ）と、上記網本体（１０）の右縁（１０Ｄ）と左縁（１０Ｃ）とにそれぞれ取付けた右側及び左側アタッチメント（９Ａ）、（９Ｂ）とで構成され、
上記屋内側枠体（５）が上下一対の上枠（５Ａ）及び下枠（５Ｂ）と、左右一対の左縦枠（５Ｄ）及び右縦枠（５Ｃ）と、上記上枠（５Ａ）の下部内周と下枠（５Ｂ）の上部内周にそれぞれ相対向して形成した上下一対の上側取付け溝（５Ｅ）及び下側取付け溝（５Ｆ）と、上記右縦枠（５Ｃ）の左部内周と上記左縦枠（５Ｄ）の右部内周にそれぞれ相対向して形成した左右一対の右側取付け溝（５Ｇ）及び左側取付け溝（５Ｇ）とで構成され、
上記上側及び下側アタッチメント（８Ａ）、（８Ｂ）を上記上側取付け溝（５Ｅ）と下側取付け溝（５Ｆ）とにそれぞれスライドさせて着脱自在に嵌合させ、上記右側及び左側アタッチメント（９Ａ）、（９Ｂ）を上記右側取付け溝（５Ｇ）及び左側取付け溝（５Ｇ）とにそれぞれ回転して着脱自在に嵌合させているサッシ窓の網戸取付け装置において、
上記右側及び左側アタッチメント（９Ａ）、（９Ｂ）がそれぞれ屋外側に開口する溝（１７）を形成した長尺フレーム（１８）と、上記長尺フレーム（１８）の端部から屋外側に延びる係止片（２０）と、上記溝（１７）に嵌合して当該溝（１７）内に挿入した上記網本体（１０）の右縁（１０Ｄ）と左縁（１０Ｃ）とをそれぞれ挟み込むストッパ（２１）とで構成し、
上記右側及び左側取付け溝（５Ｇ）、（５Ｇ）の内周に上記係止片（２０）に対向する引っ掛け片（２２）をそれぞれ起立させ、上記右側及び左側アタッチメント（９Ａ）、（９Ｂ）を上記右側取付け溝（５Ｇ）と上記左側取付け溝（５Ｇ）とに嵌合すると共に上記各係止片（２０）を上記引っ掛け片（２２）にそれぞれ係合させているサッシ窓の網戸取付け装置。
【請求項６】
上記右側及び左側取付け溝（５Ｇ）、（５Ｇ）が奥側の湾曲した内周面（２３）と上記奥側内周面（２３）に連なる水平な内周面（２４）とを備え、上記長尺フレーム（１８）が上記奥側内周面（２３）に対応する湾曲した外周面（２５）を形成して断面扇状に形成されている請求項５に記載のサッシ窓の網戸取付け装置。
【請求項７】
上記ストッパ（２１）がフランジ（２１ａ）と、このフランジ（２１ａ）から水平に伸びて上記溝（１７）に嵌合する弾性な脚（２１ｂ）とで構成され、上記脚（２１ｂ）の外周と上記溝（１７）の内周とで上記網本体（１０）の右縁（１０Ｄ）と左縁（１０Ｃ）をそれぞれ挟み込んでいる請求項５又は６いずれか１項に記載のサッシ窓の網戸取付け装置。
【手続補正２】
【補正対象書類名】明細書
【補正対象項目名】全文
【補正方法】変更
【補正の内容】
【発明の詳細な説明】
【技術分野】
【０００１】
本発明は、一般住宅、マンション、ビルディング等の建築物のサッシ窓に取付けられ網戸の取付け装置に関する。
【背景技術】
【０００２】
一戸住宅、マンション等の建築物のサッシ窓は窓枠に屋外側の障子と屋内側の防虫用網戸を配置したものが多く採用されている。
【０００３】
この種のサッシ窓としては、例えば特許文献１、特許文献２に開示されたものが開発されている。
【０００４】
特許文献１のサッシ窓は、躯体に取付けた窓枠と、窓枠にそれぞれ取付けた屋外側框材及び屋内側枠体と、屋外框材に取付けた障子と、上記屋内側枠体に着脱自在に取付けた網戸とを備えている。
【０００５】
また、網戸が網本体と、網本体の右縁と左縁とにそれぞれ取付けた右側及び左側アタッチメントとで構成され、これらの左右のアタッチメントを介して網戸が屋内側枠体の係止溝に差し込んで取り付けられているものである。
【０００６】
しかしながら、上記特許文献１のサッシ窓の網戸取付け構造は網本体の左右両側が左右のアタッチメントを介して屋内側枠体に取付けられているだけであるから、網本体の上下部の保持が不安定であり、網本体が屈曲し、或いは、皺が発生し、サッシ窓の美観を損ねる恐れがある。
【０００７】
他方、特許文献２に示す網本体の取付け装置では、上記特許文献１の網他の取付け装置と同じように、網本体の右縁と左縁とにそれぞれ取付けた右側及び左側アタッチメントを設け、これらの左右のアタッチメントを介して網戸が屋内側枠体の係止溝に差し込んで嵌合させると共に網本体の上下端部を別の押え部材を介して屋内側枠体の上下の凹溝内に押し込んでいるものである。
【０００８】
この為、特許文献２に開示された網戸の取付け装置によれば、網本体の上下端が押え部材で押え込まれているので、網本体の上下端がしっかりと保持され、網本体の歪みや皺の発生が防止される。
【先行技術文献】
【特許文献】
【０００９】
【特許文献１】特開２００７−１７７５６６号公報（図２、図３参照）
【特許文献２】特開２００９−７９４１４号公報（要約、図３〜図６参照）
【発明の概要】
【発明が解決しようとする課題】
【００１０】
しかしながら、上記特許文献１、２に開示されている網本体の取付け装置は機能上特に欠陥が有るわけではないが次のような不具合の改善がのぞまれている。
【００１１】
即ち、左右のアタッチメントは係止溝に差し込んで嵌合させているだけであるから網本体に十分な張力が付与されず長期間の使用中に網本体が歪む恐れがあり、或いは、屋外側又は屋内側から網本体に応力が作用するとアタッチメントが弛む恐れがある。
【００１２】
更に、上記特許文献２に開示されている網本体上下の押え部材は網本体と一体に結合されておらず、別々の部材であるから網本体と一緒になって凹溝に取付けできず、網本体と押え部材との取付け作業を別々に行う必要があり、網本体の取り付け作業が面倒である。
【００１３】
また、この押え部材は複数の部材から構成されているので構造が複雑で、加工性、取付性、経済性において不利である。
【００１４】
そこで、本発明の目的は、網本体の上下、左右を網本体と一体化された上下、左右のアタッチメントを介して網本体をワンタッチで且つ十分な張力を付与しながら屋内側枠体に取付けでき、且つ構造が簡単で、取付け取外し作業が容易であり、加工性、取付性、経済性に優れたサッシ窓の網本体取付け装置を提供することである。
【課題を解決するための手段】
【００１５】
上記の目的を達成する為、本発明の一つの手段は、躯体に取付けた窓枠と、上記窓枠にそれぞれ取付けた屋外側框材及び屋内側枠体と、上記屋外框材に取付けた障子と、上記屋内側枠体に着脱自在に取付けた網戸（７）とを備え、上記網戸が網本体と、上記網本体の上縁と下縁とにそれぞれ取付けた上側及び下側アタッチメントと、上記網本体の右縁と左縁とにそれぞれ取付けた右側及び左側アタッチメントとで構成され、上記屋内側枠体が上下一対の上枠及び下枠と、左右一対の左縦枠及び右縦枠と、上記上枠の下部内周と下枠の上部内周にそれぞれ相対向して形成した上下一対の上側取付け溝及び下側取付け溝と、上記右縦枠の左部内周と上記左縦枠の右部内周にそれぞれ相対向して形成した左右一対の右側取付け溝及び左側取付け溝とで構成され、記上側及び下側アタッチメントを上記上側取付け溝と下側取付け溝とにそれぞれスライドさせて着脱自在に嵌合させ、上記右側及び左側アタッチメントを上記右側取付け溝及び左側取付け溝とにそれぞれ回転して着脱自在に嵌合させているサッシ窓の網戸取付け装置において、
上記上側及び下側アタッチメントがそれぞれ屋外側に開口する溝を形成した長尺フレームと、上記長尺フレームの屋内側外側面から水平に張り出した係止片と、上記溝に嵌合して当該溝内に挿入した上記網本体の上縁と下縁とをそれぞれ挟み込むストッパとで構成し、上記上側取付け溝の下面と上記下側取付け溝の上面に上記係止片に対向するフックをそれぞれ起立させ、上記上側及び下側アタッチメントを上記上側取付け溝と上記下側取付け溝に嵌合すると共に上記各係止片を上記フックにそれぞれ係合させていることを特徴とするものである。
同じく、他の手段は、躯体に取付けた窓枠と、上記窓枠にそれぞれ取付けた屋外側框材及び屋内側枠体と、上記屋外框材に取付けた障子と、上記屋内側枠体に着脱自在に取付けた網戸とを備え、上記網戸が網本体と、上記網本体の上縁と下縁とにそれぞれ取付けた上側及び下側アタッチメントと、上記網本体の右縁と左縁とにそれぞれ取付けた右側及び左側アタッチメントとで構成され、上記屋内側枠体が上下一対の上枠及び下枠と、左右一対の左縦枠及び右縦枠と、上記上枠の下部内周と下枠の上部内周にそれぞれ相対向して形成した上下一対の上側取付け溝及び下側取付け溝と、上記右縦枠の左部内周と上記左縦枠の右部内周にそれぞれ相対向して形成した左右一対の右側取付け溝及び左側取付け溝とで構成され、上記上側及び下側アタッチメントを上記上側取付け溝と下側取付け溝とにそれぞれスライドさせて着脱自在に嵌合させ、上記右側及び左側アタッチメントを上記右側取付け溝及び左側取付け溝とにそれぞれ回転して着脱自在に嵌合させているサッシ窓の網戸取付け装置において、上記右側及び左側アタッチメントがそれぞれ屋外側に開口する溝を形成した長尺フレームと、上記長尺フレームの端部から屋外側に延びる係止片と、上記溝に嵌合して当該溝内に挿入した上記網本体の右縁と左縁とをそれぞれ挟み込むストッパとで構成し、上記右側及び左側取付け溝の内周に上記係止片に対向する引っ掛け片をそれぞれ起立させ、上記右側及び左側アタッチメントを上記右側取付け溝と上記左側取付け溝とに嵌合すると共に上記各係止片を上記引っ掛け片にそれぞれ係合させていることを特徴とするものである。
【発明の効果】
【００１６】
本発明の網戸の取付け装置によれば次の効果を達成できる。
１）網本体の上下、左右を網本体と一体化された上下、左右のアタッチメントを介して網本体を屋内側枠体に取付けているので、網本体の上下左右がしっかりと保持され、網本体が長期間使用されても屈曲せず、皺も発生せず、その結果サッシ窓の美観を損ねる恐れが無い。
２）網本体の周囲が上記のようにしっかりと保持されているから屋外側又は屋内側から振動等の外部応力が作用しても網本体が外れるのを防止できる。
３）網本体の上下、左右の端部がアタッチメント介してスライド又は回転しながら上下、左右の取付け溝にそれぞれ嵌合しているので、網本体が緊張して歪みの発生が防止され、網本体の美観を向上できる。
４）網本体の上縁、下縁、左縁、右縁の各端部にはアタッチメントが一体結合され、これらのアタッチメントを介して屋内側枠体に取付けているので、網本体の取付け、取外し作業がワンタッチで行え、取付け、取外し作業が向上し、作業費用の節約を図れる。
５）同じく、上下、左右のアタッチメントが網本体と一体化されているので、網本体の保持に網本体と別の押え部材が不要であり、構造の簡素化、加工性、経済性の向上が図れ、また余分な押え部材の取付け、取外し作業も不要で作業性が向上する。
【図面の簡単な説明】
【００１７】
【図１】本発明のサッシ窓の縦断側面図である。
【図２】本発明のサッシ窓の縦断平面図である。
【図３】本発明の網本体の斜視図である。
【図４】図１の上枠部の拡大断面図である。
【図５】図１の下枠部の拡大断面図である。
【図６】図１の右建枠部の拡大断面図である。
【図７】図６の一部拡大断面図である。
【図８】網本体の取付け初期におけるサッシ窓の一部切欠き斜視図である。
【図９】左右のアタッチメントを介して網本体を左右の縦枠に取付けた状態のサッシ窓の斜視図である。
【図１０】左右上下のアタッチメントを介して網本体を左右の縦枠に取付け、化粧カバーを覆い被せた状態のサッシ窓の斜視図である。
【発明を実施するための形態】
【００１８】
以下、図示した本発明の実施の形態を図面に基づいて説明する。
【００１９】
本発明は、一般住宅、マンション、ビルディング等の建築物の開口部に設けたサッシ窓に取付けられた網戸の取付け装置に関するものである。
【００２０】
即ち、本発明のサッシ窓は、図１、図２に示すように、建築物の屋外側壁４ａ、屋内側壁４ｂ、取付け縁２等を備えた躯体４の開口部Ａに取付けた窓枠１と、窓枠１にそれぞれ取付けた屋外側框材３及び屋内側枠体５と、屋外框材３に取付けた障子６と、屋内側枠体５に着脱自在に取付けた網戸７とを備えている。
【００２１】
屋外側框材３は上下の框と左右の縦框とから方形に形成され、この框材３の内側にペアガラスが保持されて障子６を構成している。
【００２２】
窓枠１は躯体４の開口部Ａに嵌合すると共にボルト、ビス等の取付部材を介して躯体４に取付けられている。
【００２３】
窓枠１には図１〜図６に示すようにボルトＢ１〜Ｂ７や引っ掛け片を介して屋外側の框材３と屋内側枠体５とが取り付けられ、また屋内側枠体５はビス等を介して取付け縁２にも結合されている。
【００２４】
屋内側枠体５は上枠５Ａと下枠５Ｂと右側縦枠５Ｃと左建枠５Ｄとで方形に形成され、この屋内側枠体５に本発明の網戸７が着脱自在に取付けられている。
【００２５】
網戸７は図３に示すように、網本体１０と、網本体１０の上縁１０Ａと下縁１０Ｂとにそれぞれ取付けた上側及び下側アタッチメント８Ａ、８Ｂと、網本体１０の右縁１０Ｄと左縁１０Ｃとにそれぞれ取付けた右側及び左側アタッチメント９Ａ、９Ｂとで構成されている。
【００２６】
さらに、図１、図４、図５に示すように、上枠５Ａの下部内周と下枠５Ｂの上部内周にそれぞれ相対向して形成してそれぞれ開口部Ａの中央に向けて開口する上下一対の上側取付け溝５Ｅ及び下側取付け溝５Ｆが形成されている。
【００２７】
同じく、右縦枠５Ｃの左部内周と上記左縦枠５Ｄの右部内周にそれぞれ相対向して形成して開口部Ａの中央に向けて開口する左右一対の右側取付け溝５Ｇ及び左側取付け溝５Ｇとが形成されている。
【００２８】
上側取付け溝５Ｅは図４に示すように、溝の入り口に一対の引っ掛け片ａ、ｂが形成され、上奥側の内周にフック１５を下方に向けて起立している。
【００２９】
同じく、下側取付け溝５Ｆは図５に示すように、溝の入り口に一対の引っ掛け片ｃ、ｄが形成され、下奥側の内周にフック１５を上方に向けて起立している。
【００３０】
上側及び下側アタッチメント８Ａ、８Ｂは図３〜図５に示すように、それぞれ屋外側、即ち、図４、図５において左側に開口する溝１３を形成した長尺フレーム１１と、長尺フレーム１１の屋内側外側面から水平に張り出した係止片１２と、溝１３に嵌合して当該溝１３内に挿入した網本体１０の上縁１０Ａと下縁１０Ｂとをそれぞれ挟み込むストッパ１４とで構成している。
【００３１】
また、上記ストッパ１４は、フランジ１４ａと、このフランジ１４ａから水平に伸びて上記溝１３に嵌合する弾性な二股の脚１４ｂとで構成され、脚１４ｂの外周と上記溝１３の内周とで上記網本体１０の上縁１０Ａと下縁１０Ｂとを挟み込んでいる。
【００３２】
この為、上側及び下側アタッチメント８Ａ、８Ｂは網本体１０と一体化され、アタッチメント８Ａ、８Ｂと一緒に網本体１０の上下端部がスライドしながら上下の取付け溝５Ｅ、５Ｆに嵌合し、或いは外される。
【００３３】
この場合、上側及び下側アタッチメント８Ａ、８Ｂを上側取付け溝５Ｅと上記下側取付け溝５Ｆに嵌合すると共に各係止片１２をフック１５にそれぞれ係合させ、併せて、フランジ１４ａを引っ掛け片ｃに係合させてアタッチメント８Ａ、８Ｂの脱落を防止している。
【００３４】
上記アタッチメント８Ａ、８Ｂは一つでも良いが、図３に示すように、網本体１０の中心線を挟んで両側に左右一対設けられているのが好ましい。
【００３５】
この場合は、網本体１０はその中心線を中心して折り曲げでき、網本体１０を折り曲げながら左右のアタッチメント９Ｂ、９Ａを左右の取付け溝５Ｇ、５Ｇに嵌合操作できる。
【００３６】
例えば、先に左側のアタッチメント９Ｂを左側の取付け溝５Ｇに嵌合しておき、次いで、網本体１０を折り曲げながら右側のアタッチメント９Ａを右側の取付け溝５Ｇに嵌合でき、これにより障子６が屋外側に存在していてもこの障子６に干渉することなく網本体１０を取付けできる。
【００３７】
更に、上側取付け溝５Ｅと上記下側取付け溝５Ｆの開口部にそれぞれ化粧用カバー１５を嵌合させ、当該カバー１６でそれぞれ各アタッチメント８Ａ、８Ｂを覆い被せている。
【００３８】
この為、アタッチメント８Ａ、８Ｂが露出せず、アタッチメント８Ａ、８Ｂを保護すると同時にサッシ窓の美観を向上させている。
【００３９】
化粧カバー１６はカバー本体と、カバー本体の両端に設けた係止片１６ａ、１６ｂを有し、これらの係止片１６ａ、１６ｂが引っ掛け片ｄと長尺フレーム１１の端部とに係合して脱落が防止されている。
【００４０】
次に、上記右側及び左側アタッチメント９Ａ、９Ｂはそれぞれ屋外側、即ち、図６において上方側に開口する溝１７を形成した長尺フレーム１８と、長尺フレーム１８の端部から屋外側に延びる係止片２０と、溝１７に嵌合して当該溝１７内に挿入した網本体１０の右縁１０Ｄと左縁１０Ｃとをそれぞれ挟み込むストッパ２１とで構成されている。
【００４１】
図６、図７に示すように、上記右側及び左側取付け溝５Ｇは入り口に引っ掛け片ｅを形成し、さらに、奥側の湾曲した内周面２３とこの奥側内周面２３に連なる水平な内周面２４とを備え、この内周面２４に上記係止片２０に対向する引っ掛け片２２をそれぞれ下向きに起立させている。
【００４２】
そして、右側及び左側アタッチメント９Ａ、９Ｂの下部に操作摘み部材Ｐを備え、この操作摘み部材Ｐを介して図６、図７に示すように、右側取付け溝５Ｇと左側取付け溝５Ｇとに回転しながら嵌合すると共に各係止片２０を引っ掛け片２２にそれぞれ係合させている。
【００４３】
長尺フレーム１８は奥側内周面２３に対応する湾曲した外周面２５を形成して断面扇状に形成されている。
【００４４】
ストッパ２１はフランジ２１ａと、このフランジ２１ａから水平に伸びて溝１７に嵌合する弾性な二股状の脚２１ｂとで構成され、脚２１ｂの外周と溝１７の内周とで網本体１０の右縁１０Ｄと左縁１９Ｃをそれぞれ挟み込んでいる。
【００４５】
上記上下のアタッチメント８Ａ、８Ｂ、左右のアタッチメント９Ａ，９Ｂは各取付け溝５Ｅ、５Ｆ、５Ｇに単純に押し込んで嵌合させることも可能であるが、スライド又は回転させながら嵌合させることにより、網本体１０に張力を付与してその歪みの発生を防止できる。
【００４６】
次に、網本体１０の取付け工程を図８〜図１０に基づいて説明する。
【００４７】
図８に示すように、先ず左側のアタッチメント９Ｂを左縦枠５Ｄの左側取付け溝５Ｇに嵌合しておく。
【００４８】
この状態から網本体１０をその中心線を中心して折り曲げる。
【００４９】
次いで、図９に示すように、上下のアタッチメント８Ａ、８Ｂをそれぞれスライドさせながら上下の取付け溝５Ｅ、５Ｆに嵌合させる。
【００５０】
次に、図１０に示すように、摘み部材Ｐを介して右側アタッチメント９Ａを回転しながら右側取付け溝５Ｇに嵌合させる。
【００５１】
上下のアタッチメント８Ａ、８Ｂ、左右のアタッチメント９Ａ、９Ｂの嵌合作業が終了した時化粧用カバー１６を嵌合して上下のアタッチメント８Ａ、８Ｂを覆い被せる。
【００５２】
網本体１０を外す場合は、上記の操作を逆にして行うものである。
【００５３】
本発明の網戸取付け装置では、上下、左右のアタッチメント８Ａ、８Ｂ、９Ａ、９Ｂを介して網本体１０を屋内側枠体５に取付けているので、網本体１０の上下左右がしっかりと保持され、網本体１０が長期間使用されても屈曲せず、皺も発生せず、また、屋外側又は屋内側から振動等の外部応力が作用しても網本体１０が外れるのを防止できる。
【００５４】
網本体１０の上下、左右の端部がアタッチメント８Ａ、８Ｂ、９Ａ、９Ｂ介してスライド又は回転しながら上下、左右の取付け溝５Ｅ、５Ｆ、５Ｇにそれぞれ嵌合しているので、網本体１０が緊張して歪みの発生が防止され、網本体の美観を向上できる。
【００５５】
網本体１０の上縁、下縁、左縁、右縁の各端部にはアタッチメント８Ａ、８Ｂ、９Ａ、９Ｂが一体結合され、これらのアタッチメント８Ａ、８Ｂ、９Ａ、９Ｂを介して屋内側枠体５に取付けているので、網本体１０の取付け、取外し作業がワンタッチで行え、取付け、取外し作業が向上し、作業費用の節約を図れる。
【００５６】
上下、左右のアタッチメント８Ａ、８Ｂ、９Ａ、９Ｂが網本体１０と一体化されているので、網本体１０の保持に網本体１０と別の押え部材が不要であり、構造の簡素化、加工性、経済性の向上が図れ、また余分な押え部材の取付け、取外し作業も不要で作業性が向上する。
【符号の説明】
【００５７】
１  窓枠
３  屋外側框材
４  躯体
５  屋内側枠体
５Ａ  上枠
５Ｂ  下枠
５Ｅ  上側取付け溝
５Ｆ  下側取付け溝
５Ｇ  左側、右側取付け溝
６  障子
８Ａ、８Ｂ、９Ａ、９Ｂ  アタッチメント
１０  網本体
１１  長尺フレーム
１２  係止片
１３  溝
１４  ストッパ
１５  フック
１６  化粧用カバー
１７  溝
１８  長尺フレーム
２０  係止片
２１  ストッパ
２３、２４  内周面
２５  外周面

【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
躯体（４）に取付けた窓枠（１）と、上記窓枠（１）にそれぞれ取付けた屋外側框材（３）及び屋内側枠体（５）と、上記屋外側框材（３）に取付けた障子（６）と、上記屋内側枠体（５）に着脱自在に取付けた網戸（７）とを備え、
上記網戸（７）が網本体（１０）と、上記網本体（１０）の上縁（１０Ａ）と下縁（１０Ｂ）とにそれぞれ取付けた上側及び下側アタッチメント（８Ａ）、（８Ｂ）と、上記網本体（１０）の右縁１０Ｄと左縁１０Ｃとにそれぞれ取付けた右側及び左側アタッチメント（９Ａ）、（９Ｂ）とで構成され、
上記屋内側枠体（５）が上下一対の上枠（５Ａ）及び下枠（５Ｂ）と、左右一対の左縦枠（５Ｄ）及び右縦枠（５Ｃ）と、上記上枠（５Ａ）の下部内周と下枠（５Ｂ）の上部内周にそれぞれ相対向して形成した上下一対の上側取付け溝（５Ｅ）及び下側取付け溝（５Ｆ）と、上記右縦枠（５Ｃ）の左部内周と上記左縦枠（５Ｄ）の右部内周にそれぞれ相対向して形成した左右一対の右側取付け溝（５Ｇ）及び左側取付け溝（５Ｇ）とで構成され、
上記上側及び下側アタッチメント（８Ａ）、（８Ｂ）を上記上側取付け溝（５Ｅ）と下側取付け溝（５Ｆ）とにそれぞれスライドさせて着脱自在に嵌合させ、上記右側及び左側アタッチメント（９Ａ）、（９Ｂ）を上記右側取付け溝（５Ｇ）及び左側取付け溝（５Ｇ）とにそれぞれ回転して着脱自在に嵌合させているサッシ窓の網戸取付け装置において、
上記上側及び下側アタッチメント（８Ａ）、（８Ｂ）がそれぞれ屋外側に開口する溝（１３）を形成した長尺フレーム（１１）と、上記長尺フレーム（１１）の屋内側外側面から水平に張り出した係止片（１２）と、上記溝（１３）に嵌合して当該溝（１３）内に挿入した上記網本体（１０）の上縁（１０Ａ）と下縁（１０Ｂ）とをそれぞれ挟み込むストッパ（１４）とで構成し、
上記上側取付け溝（５Ｅ）の下面と上記下側取付け溝（５Ｆ）の上面に上記係止片（１２）に対向するフック（１５）をそれぞれ起立させ、上記上側及び下側アタッチメント（８Ａ）、（８Ｂ）を上記上側取付け溝（５Ｅ）と上記下側取付け溝（５Ｆ）に嵌合すると共に上記各係止片（１２）を上記フック（１５）にそれぞれ係合させているサッシ窓の網戸取付け装置。
【請求項２】
上記上側アタッチメント（８Ａ）と上記下側アタッチメント（８Ｂ）はそれぞれ上記網本体（１０）の中心線を挟んで両側に左右一対設けられている請求項１に記載のサッシ窓の網戸取付け装置。
【請求項３】
上記ストッパ（１４）がフランジ（１４ａ）と、上記フランジ（１４ａ）から水平に伸びて上記溝（１３）に嵌合する弾性な脚（１４ｂ）とで構成され、上記脚（１４ｂ）の外周と上記溝（１３）の内周とで上記網本体（１０）の上縁（１０Ａ）と下縁（１０Ｂ）とを挟み込んでいる請求項１又は２のいずれか１項に記載のサッシ窓の網戸取付け装置。
【請求項４】
上記上側取付け溝（５Ｅ）と上記下側取付け溝（５Ｆ）の開口部にそれぞれ化粧用カバー（１６）を嵌合させ、当該カバー（１６）でそれぞれ上記各アタッチメント（８Ａ）、（８Ｂ）を覆い被せている請求項１、２又は３のいずれか１項に記載のサッシ窓の網戸取付け装置。
【請求項５】
躯体（４）に取付けた窓枠（１）と、上記窓枠（１）にそれぞれ取付けた屋外側框材（３）及び屋内側枠体（５）と、上記屋外側框材（３）に取付けた障子（６）と、上記屋内側枠体（５）に着脱自在に取付けた網戸（７）とを備え、
上記網戸（７）が網本体（１０）と、上記網本体（１０）の上縁（１０Ａ）と下縁（１０Ｂ）とにそれぞれ取付けた上側及び下側アタッチメント（８Ａ）、（８Ｂ）と、上記網本体（１０）の右縁（１０Ｄ）と左縁（１０Ｃ）とにそれぞれ取付けた右側及び左側アタッチメント（９Ａ）、（９Ｂ）とで構成され、
上記屋内側枠体（５）が上下一対の上枠（５Ａ）及び下枠（５Ｂ）と、左右一対の左縦枠（５Ｄ）及び右縦枠（５Ｃ）と、上記上枠（５Ａ）の下部内周と下枠（５Ｂ）の上部内周にそれぞれ相対向して形成した上下一対の上側取付け溝（５Ｅ）及び下側取付け溝（５Ｆ）と、上記右縦枠（５Ｃ）の左部内周と上記左縦枠（５Ｄ）の右部内周にそれぞれ相対向して形成した左右一対の右側取付け溝（５Ｇ）及び左側取付け溝（５Ｇ）とで構成され、
上記上側及び下側アタッチメント（８Ａ）、（８Ｂ）を上記上側取付け溝（５Ｅ）と下側取付け溝（５Ｆ）とにそれぞれスライドさせて着脱自在に嵌合させ、上記右側及び左側アタッチメント（９Ａ）、（９Ｂ）を上記右側取付け溝（５Ｇ）及び左側取付け溝（５Ｇ）とにそれぞれ回転して着脱自在に嵌合させているサッシ窓の網戸取付け装置において、
上記右側及び左側アタッチメント（９Ａ）、（９Ｂ）がそれぞれ屋外側に開口する溝（１７）を形成した長尺フレーム（１８）と、上記長尺フレーム（１８）の端部から屋外側に延びる係止片（２０）と、上記溝（１７）に嵌合して当該溝（１７）内に挿入した上記網本体（１０）の右縁（１０Ｄ）と左縁（１０Ｃ）とをそれぞれ挟み込むストッパ（２１）とで構成し、
上記右側及び左側取付け溝（５Ｇ）、（５Ｇ）の内周に上記係止片（２０）に対向する引っ掛け片（２２）をそれぞれ起立させ、上記右側及び左側アタッチメント（９Ａ）、（９Ｂ）を上記右側取付け溝（５Ｇ）と上記左側取付け溝（５Ｇ）とに嵌合すると共に上記各係止片（２０）を上記引っ掛け片（２２）にそれぞれ係合させているサッシ窓の網戸取付け装置。
【請求項６】
上記右側及び左側取付け溝（５Ｇ）、（５Ｇ）が奥側の湾曲した内周面（２３）と上記奥側内周面（２３）に連なる水平な内周面（２４）とを備え、上記長尺フレーム（１８）が上記奥側内周面（２３）に対応する湾曲した外周面（２５）を形成して断面扇状に形成されている請求項５に記載のサッシ窓の網戸取付け装置。
【請求項７】
上記ストッパ（２１）がフランジ（２１ａ）と、このフランジ（２１ａ）から水平に伸びて上記溝（１７）に嵌合する弾性な脚（２１ｂ）とで構成され、上記脚（２１ｂ）の外周と上記溝（１７）の内周とで上記網本体（１０）の右縁（１０Ｄ）と左縁（１０Ｃ）をそれぞれ挟み込んでいる請求項５又は６いずれか１項に記載のサッシ窓の網戸取付け装置。
【手続補正２】
【補正対象書類名】明細書
【補正対象項目名】００１５
【補正方法】変更
【補正の内容】
【００１５】
上記の目的を達成する為、本発明の一つの手段は、躯体に取付けた窓枠と、上記窓枠にそれぞれ取付けた屋外側框材及び屋内側枠体と、上記屋側外框材に取付けた障子と、上記屋内側枠体に着脱自在に取付けた網戸（７）とを備え、上記網戸が網本体と、上記網本体の上縁と下縁とにそれぞれ取付けた上側及び下側アタッチメントと、上記網本体の右縁と左縁とにそれぞれ取付けた右側及び左側アタッチメントとで構成され、上記屋内側枠体が上下一対の上枠及び下枠と、左右一対の左縦枠及び右縦枠と、上記上枠の下部内周と下枠の上部内周にそれぞれ相対向して形成した上下一対の上側取付け溝及び下側取付け溝と、上記右縦枠の左部内周と上記左縦枠の右部内周にそれぞれ相対向して形成した左右一対の右側取付け溝及び左側取付け溝とで構成され、記上側及び下側アタッチメントを上記上側取付け溝と下側取付け溝とにそれぞれスライドさせて着脱自在に嵌合させ、上記右側及び左側アタッチメントを上記右側取付け溝及び左側取付け溝とにそれぞれ回転して着脱自在に嵌合させているサッシ窓の網戸取付け装置において、
上記上側及び下側アタッチメントがそれぞれ屋外側に開口する溝を形成した長尺フレームと、上記長尺フレームの屋内側外側面から水平に張り出した係止片と、上記溝に嵌合して当該溝内に挿入した上記網本体の上縁と下縁とをそれぞれ挟み込むストッパとで構成し、上記上側取付け溝の下面と上記下側取付け溝の上面に上記係止片に対向するフックをそれぞれ起立させ、上記上側及び下側アタッチメントを上記上側取付け溝と上記下側取付け溝に嵌合すると共に上記各係止片を上記フックにそれぞれ係合させていることを特徴とするものである。
同じく、他の手段は、躯体に取付けた窓枠と、上記窓枠にそれぞれ取付けた屋外側框材及び屋内側枠体と、上記屋外側框材に取付けた障子と、上記屋内側枠体に着脱自在に取付けた網戸とを備え、上記網戸が網本体と、上記網本体の上縁と下縁とにそれぞれ取付けた上側及び下側アタッチメントと、上記網本体の右縁と左縁とにそれぞれ取付けた右側及び左側アタッチメントとで構成され、上記屋内側枠体が上下一対の上枠及び下枠と、左右一対の左縦枠及び右縦枠と、上記上枠の下部内周と下枠の上部内周にそれぞれ相対向して形成した上下一対の上側取付け溝及び下側取付け溝と、上記右縦枠の左部内周と上記左縦枠の右部内周にそれぞれ相対向して形成した左右一対の右側取付け溝及び左側取付け溝とで構成され、上記上側及び下側アタッチメントを上記上側取付け溝と下側取付け溝とにそれぞれスライドさせて着脱自在に嵌合させ、上記右側及び左側アタッチメントを上記右側取付け溝及び左側取付け溝とにそれぞれ回転して着脱自在に嵌合させているサッシ窓の網戸取付け装置において、上記右側及び左側アタッチメントがそれぞれ屋外側に開口する溝を形成した長尺フレームと、上記長尺フレームの端部から屋外側に延びる係止片と、上記溝に嵌合して当該溝内に挿入した上記網本体の右縁と左縁とをそれぞれ挟み込むストッパとで構成し、上記右側及び左側取付け溝の内周に上記係止片に対向する引っ掛け片をそれぞれ起立させ、上記右側及び左側アタッチメントを上記右側取付け溝と上記左側取付け溝とに嵌合すると共に上記各係止片を上記引っ掛け片にそれぞれ係合させていることを特徴とするものである。
【手続補正３】
【補正対象書類名】明細書
【補正対象項目名】００２０
【補正方法】変更
【補正の内容】
【００２０】
即ち、本発明のサッシ窓は、図１、図２に示すように、建築物の屋外側壁４ａ、屋内側壁４ｂ、取付け縁２等を備えた躯体４の開口部Ａに取付けた窓枠１と、窓枠１にそれぞれ取付けた屋外側框材３及び屋内側枠体５と、屋外側框材３に取付けた障子６と、屋内側枠体５に着脱自在に取付けた網戸７とを備えている。